(57)【特許請求の範囲】
【請求項１】
携帯電話機内の各部に電源を供給するバッテリーと、
このバッテリーの残容量を検出し、残容量値が所定値以下となったら、ローバッテリー検出信号を出力するローバッテリー検出部と、
このローバッテリー検出部が出力するローバッテリー検出信号を入力したら、所定の猶予期間の後に、携帯電話機の電源を遮断する制御部と、
緊急通報を行うための入力を含む各種の入力が行われる入力部と、
この入力部から緊急通報を行うための入力がなされたことを検出したら、緊急通報入力検出信号を前記制御部へ送る緊急通報入力検出部と
を有する携帯電話機において、
前記制御部は、前記所定の猶予期間中に、前記緊急通報入力検出部から緊急通報入力検出信号を入力した場合には、携帯電話機の電源の遮断を中止する
ことを特徴とする携帯電話機。
【請求項２】
前記制御部は、前記所定の猶予期間中には、前記緊急通報入力検出部が出力する緊急通報入力検出信号のみを受け付ける
ことを特徴とする請求項１に記載の携帯電話機。
【請求項３】
前記制御部は、
前記所定の猶予期間を計測し、この猶予期間が終了したら、猶予期間終了信号を出力するタイマーと、
このタイマーが出力する猶予期間終了信号と、前記緊急通報入力検出部が出力する緊急通報入力検出信号と、前記ローバッテリー検出部が出力するローバッテリー検出信号とを入力し、これらの入力に応じた割り込み信号を出力する割り込み制御部と、
この割り込み制御部が出力する割り込み信号を入力し、この入力に応じて携帯電話機内の各部の制御を行う中央制御部と
を有し、
前記割り込み制御部は、前記緊急通報入力検出部が出力する緊急通報入力検出信号を入力した場合に、最優先割り込み信号を出力する
ことを特徴とする請求項１に記載の携帯電話機。
【請求項４】
前記制御部は、前記ローバッテリー検出部が出力するローバッテリー検出信号を入力したら、携帯電話機における通話機能以外の機能を停止させる
ことを特徴とする請求項１に記載の携帯電話機。
【請求項５】
前記制御部は、前記ローバッテリー検出部が出力するローバッテリー検出信号を入力したら、携帯電話機の送信出力を、出力可能な最大値より小さい所定値以下に制限する
ことを特徴とする請求項１に記載の携帯電話機。
【発明の詳細な説明】
【０００１】
【発明の属する技術分野】
本発明は携帯電話機に関し、特に緊急通報が可能な携帯電話機に関する。
【０００２】
【従来の技術】
バッテリーで駆動される携帯電話機を使用し続けると、やがてバッテリーが消耗して、その出力電圧が低下する。この出力電圧が、携帯電話機に内蔵されたＣＰＵやメモリー等の部品の最低動作保証電圧以下になると、携帯電話機が誤動作する恐れがある。そこで、バッテリーの出力電圧が、携帯電話機に内蔵された部品の最低動作保証電圧を切る前に、携帯電話機内のシステムをシャットダウンさせ、携帯電話機の電源をオフさせることが行われている。さらに、システムのシャットダウンの前に猶予期間を設け、この猶予期間中に、これからシャットダウンが行われることをユーザーに予告することも行われている。
【０００３】
【発明が解決しようとする課題】
しかし、上記の従来技術においては、シャットダウンまでの猶予期間中に緊急通報の必要が生じた場合であっても、携帯電話機はシャットダウンの予告を行うのみで、緊急通報のための入力を受け付けないので、緊急通報を行うことが出来ない。
【０００４】
シャットダウンが実行され、携帯電話機の電源がオフされた後に、再度ユーザーが電源をオンしたとしても、同じ動作が繰り返されるのみなので、やはり緊急通報を行うことは出来ない。緊急通報を行うには、バッテリーの充電や交換等の処置を施す必要があるが、これでは緊急事態に対応できない。
【０００５】
本発明は、上記の問題を解決するためになされたもので、シャットダウンまでの猶予期間中であっても緊急通報が可能な携帯電話機を提供するものである。
【０００６】
【課題を解決するための手段】
請求項１に記載の発明は、携帯電話機内の各部に電源を供給するバッテリーと、このバッテリーの残容量を検出し、残容量値が所定値以下となったら、ローバッテリー検出信号を出力するローバッテリー検出部と、このローバッテリー検出部が出力するローバッテリー検出信号を入力したら、所定の猶予期間の後に、携帯電話機の電源を遮断する制御部と、緊急通報を行うための入力を含む各種の入力が行われる入力部と、この入力部から緊急通報を行うための入力がなされたことを検出したら、緊急通報入力検出信号を前記制御部へ送る緊急通報入力検出部とを有する携帯電話機において、前記制御部は、前記所定の猶予期間中に、前記緊急通報入力検出部から緊急通報入力検出信号を入力した場合には、携帯電話機の電源の遮断を中止することを特徴とする携帯電話機である。
【０００７】
請求項２に記載の発明は、前記制御部は、前記所定の猶予期間中には、前記緊急通報入力検出部が出力する緊急通報入力検出信号のみを受け付けることを特徴とする請求項１に記載の携帯電話機である。
【０００８】
請求項３に記載の発明は、前記制御部は、前記所定の猶予期間を計測し、この猶予期間が終了したら、猶予期間終了信号を出力するタイマーと、このタイマーが出力する猶予期間終了信号と、前記緊急通報入力検出部が出力する緊急通報入力検出信号と、前記ローバッテリー検出部が出力するローバッテリー検出信号とを入力し、これらの入力に応じた割り込み信号を出力する割り込み制御部と、この割り込み制御部が出力する割り込み信号を入力し、この入力に応じて携帯電話機内の各部の制御を行う中央制御部とを有し、前記割り込み制御部は、前記緊急通報入力検出部が出力する緊急通報入力検出信号を入力した場合に、最優先割り込み信号を出力することを特徴とする請求項１に記載の携帯電話機である。
【０００９】
請求項４に記載の発明は、前記制御部は、前記ローバッテリー検出部が出力するローバッテリー検出信号を入力したら、携帯電話機における通話機能以外の機能を停止させることを特徴とする請求項１に記載の携帯電話機である。
【００１０】
請求項５に記載の発明は、前記制御部は、前記ローバッテリー検出部が出力するローバッテリー検出信号を入力したら、携帯電話機の送信出力を、出力可能な最大値より小さい所定値以下に制限することを特徴とする請求項１に記載の携帯電話機である。
【００１１】
【発明の実施の形態】
図１は、本発明の一実施形態における携帯電話機内の構成の一部を示すブロック図である。図中の符号１は、ユーザーが携帯電話機に各種の入力を行うためのキーマトリクスである。このキーマトリクスからは、緊急通報用の電話番号を入力することが可能である。緊急通報用の電話番号とは、例えば日本においては１１０番や１１９番である。
【００１２】
符号２は、前記キーマトリクス１から緊急通報用の電話番号が入力されたか否かを検出する緊急通報入力検出部である。この緊急通報入力検出部２は、前記キーマトリクス１から緊急通報用の電話番号が入力されたことを検出すると、割り込み信号ＩＲＱ０を出力する。
【００１３】
符号３は、携帯電話機内の各部に電源を供給するバッテリーである。このバッテリー３としては、例えば充電式のバッテリーが用いられる。符号４は、前記バッテリー３が出力する電圧をモニターし、「ローバッテリー状態」を検出するローバッテリー検出部である。「ローバッテリー状態」とは、前記バッテリー３の出力電圧が所定の「しきい値」以下に低下した状態を意味する。なお、この「しきい値」は、携帯電話機が内蔵する回路の最低動作保証電圧より高い値に設定される。ローバッテリー検出部４は、「ローバッテリー状態」を検出すると、割り込み信号ＩＲＱ１を出力する。
【００１４】
符号５は、携帯電話機内の各部を制御する制御部である。この制御部５は、カウントダウンタイマー６、割り込み制御部７、ＣＰＵ８、バックアップメモリー９を含む。カウントダウンタイマー６は、前記「ローバッテリー状態」が検出されてから、システムがシャットダウンされるまでの猶予時間を計時する。具体的には、カウントダウンタイマー６は、ＣＰＵ８が出力するカウント初期値およびカウンタクロックを入力すると、カウント初期値から、カウンタクロックに同期したカウントダウンを行い、カウント値が０になった時点で割り込み信号ＩＲＱ２を出力する。
【００１５】
割り込み制御部７は、前記緊急通報入力検出部２が出力する割り込み信号ＩＲＱ０、前記ローバッテリー検出部４が出力する割り込み信号ＩＲＱ１、および前記カウントダウンタイマー６が出力する割り込み信号ＩＲＱ２を入力し、これらの入力に応じて、最優先割り込み信号ＮＭＩおよび汎用割り込み信号ＩＲＱを出力する。具体的には、この割り込み制御部７は、割り込み信号ＩＲＱ０が入力されると、この入力を最優先割り込み信号ＮＭＩとして出力し、割り込み信号ＩＲＱ１またはＩＲＱ２が入力されると、この入力を汎用割り込み信号ＩＲＱとして出力する。
【００１６】
ＣＰＵ８は、前記割り込み制御部７が出力する最優先割り込み信号ＮＭＩおよび汎用割り込み信号ＩＲＱを入力する。詳細には、ＣＰＵ８は、汎用割り込み信号ＩＲＱとして前記ローバッテリー検出部４が出力した割り込み信号ＩＲＱ１を入力すると、前記カウントダウンタイマー６に、カウント初期値およびカウンタクロックを送出する。すると、前記カウントダウンタイマー６は、カウント初期値から、カウンタクロックに同期したカウントダウンを行い、カウント値が０になった時点で割り込み信号ＩＲＱ２を出力する。
【００１７】
ＣＰＵ８は、汎用割り込み信号ＩＲＱとして前記ローバッテリー検出部４が出力した割り込み信号ＩＲＱ１を入力すると、上記の動作と共に、前記キーマトリクス１からの、緊急通報以外の入力の受け付けを停止する。さらに、ＣＰＵ８は、携帯電話機における通話機能以外の機能を停止させる。通話機能以外の機能とは、例えばデータ通信を行う機能や、着信音の変更等といった各種の設定機能である。さらに、ＣＰＵ８は、携帯電話機の送信出力を制限する。すなわち送信出力を最大値とせず、最大値より小さい所定値以下に制限する。
【００１８】
ＣＰＵ８は、汎用割り込み信号ＩＲＱとして前記カウントダウンタイマー６が出力した割り込み信号ＩＲＱ２を入力すると、まず前記カウントダウンタイマー６へのカウンタクロックの供給を停止し、次にシステムをシャットダウンさせるためのシャットダウンシーケンスを開始する。このシャットダウンシーケンスとは、具体的には、ＣＰＵ８のワークエリアにある、失われては困るデータをバックアップメモリー９に保存する動作である。なお、ここでいう失われては困るデータとは、例えばシステム情報や発着信履歴情報等である。また、バックアップメモリー９とは、例えばバックアップ用の電池でバックアップされたＳＲＡＭである。
【００１９】
ＣＰＵ８は、最優先割り込み信号ＮＭＩすなわち前記緊急通報入力検出部２が出力した割り込み信号ＩＲＱ０を入力すると、前記カウントダウンタイマー６がカウントダウン中であれば、このカウントダウンを中止させる。
【００２０】
符号１０は、ＬＣＤ等で構成された表示部である。この表示部１０は、前記ＣＰＵ８によって制御され、前記カウントダウンタイマー６がカウントダウンを行っている期間、シャットダウンを予告するメッセージと、シャットダウンされるまでの残り時間とを表示する。
【００２１】
符号１１は、通話を無線で送信する送信部である。この送信部１１は、前記ＣＰＵ８によって、その送信出力が制御される。すなわち、ＣＰＵ８が、汎用割り込み信号ＩＲＱとしてローバッテリー検出部４が出力した割り込み信号ＩＲＱ１を入力すると、送信部１１における送信出力が、出力可能な最大値より小さい所定値以下に制限される。
【００２２】
次に、本実施形態の動作を説明する。図２は、本実施形態において、カウントダウンタイマー６のカウントダウン中に、緊急発呼が行われなかった場合の動作を示すタイミングチャートである。このタイミングチャートは、ローバッテリー検出部４がローバッテリー状態を検出してから、ＣＰＵ８がシャットダウンシーケンスを開始するまでの動作を示している。なお、図中における“０”は「停止」を表し、“１”は「動作」を表すものとする。
【００２３】
初期状態すなわち時刻Ｔ０においては、ローバッテリー状態は検出されておらず、カウントダウンタイマー６は停止、このカウントダウンタイマー６からは割り込み信号ＩＲＱ２が出力されておらず、シャットダウンシーケンスは開始されていない。
【００２４】
時刻Ｔ１で、ローバッテリー検出部４がローバッテリー状態を検出すると、このローバッテリー検出部４からＣＰＵ８へ割り込み信号ＩＲＱ１が送られる。すると、ＣＰＵ８は、カウントダウンタイマー６へカウント初期値およびカウンタクロックを送り、カウントダウンタイマー６はカウントダウンを開始する。
【００２５】
やがて、カウントダウンタイマー６のカウント値が０になると（時刻Ｔ２）、このカウントダウンタイマー６は割り込み信号ＩＲＱ２を出力する。これにより、ＣＰＵ８は、カウントダウンタイマー６へのカウンタクロックの供給を停止すると共に、シャットダウンシーケンスを開始する。このシャットダウンシーケンス中に、必要なデータがバックアップメモリー９に保存され、その後、携帯電話機内の各部への電源供給が遮断される。
【００２６】
図３は、本実施形態において、カウントダウンタイマー６のカウントダウン中に、緊急発呼が行われた場合の動作を示すタイミングチャートである。時刻Ｔ０およびＴ１における動作は図２と同様である。時刻Ｔ３で、緊急発呼が行われたとすると、緊急通報入力検出部２は、この緊急発呼を検出して、割り込み信号ＩＲＱ０をＣＰＵ８へ送る。するとＣＰＵ８は、カウントダウンタイマー６におけるカウントダウンを中止させるので、カウントダウンタイマー６から割り込み信号ＩＲＱ２が出力されることが回避され、シャットダウンシーケンスの開始も回避される。これにより、バッテリー３の残容量がある限り、緊急通話が可能になる。
【００２７】
【発明の効果】
本発明によれば、ローバッテリー検出部が、バッテリーの残容量を検出し、残容量値が所定値以下となったらローバッテリー検出信号を出力し、制御部が、前記ローバッテリー検出信号を入力したら、所定の猶予期間の後に、携帯電話機の電源を遮断するが、前記制御部が、前記所定の猶予期間中に、緊急通報入力検出部から緊急通報入力検出信号を入力した場合には、携帯電話機の電源の遮断を中止するので、携帯電話機がローバッテリー状態にあったとしても、緊急通報が可能となる。
【００２８】
また、前記制御部が、前記所定の猶予期間中には、前記緊急通報入力検出部が出力する緊急通報入力検出信号のみを受け付ける構成とすれば、携帯電話機がローバッテリー状態にある期間におけるバッテリーの消費量を節約することができ、緊急通報における通話時間をのばすことができる。
【００２９】
また、前記制御部に、タイマーが出力する猶予期間終了信号と、緊急通報入力検出部が出力する緊急通報入力検出信号と、ローバッテリー検出部が出力するローバッテリー検出信号とを入力し、これらの入力に応じた割り込み信号を出力する割り込み制御部を設け、この割り込み制御部が、前記緊急通報入力検出信号を入力した場合に、最優先割り込み信号を出力する構成とすれば、携帯電話機が電源遮断までの猶予期間中であっても緊急通報入力が優先され、緊急通報が可能となる。
【００３０】
また、前記制御部が、ローバッテリー検出部が出力するローバッテリー検出信号を入力したら、携帯電話機における通話機能以外の機能を停止させる構成とすれば、携帯電話機がローバッテリー状態にある期間におけるバッテリーの消費量を節約することができ、緊急通報における通話時間をのばすことができる。
【００３１】
また、前記制御部が、ローバッテリー検出部が出力するローバッテリー検出信号を入力したら、携帯電話機の送信出力を、出力可能な最大値より小さい所定値以下に制限すれば、携帯電話機がローバッテリー状態にある期間におけるバッテリーの消費量を節約することができ、緊急通報における通話時間をのばすことができる。
【図面の簡単な説明】
【図１】  本発明の一実施形態における携帯電話機内の構成の一部を示すブロック図。
【図２】  本発明の一実施形態において、カウントダウンタイマーのカウントダウン中に、緊急発呼が行われなかった場合の動作を示すタイミングチャート。
【図３】  本発明の一実施形態において、カウントダウンタイマーのカウントダウン中に、緊急発呼が行われた場合の動作を示すタイミングチャート。
【符号の説明】
１  キーマトリクス（入力部）      ２  緊急通報入力検出部
３  バッテリー                    ４  ローバッテリー検出部
５  制御部                        ６  カウントダウンタイマー
７  割り込み制御部                ８  ＣＰＵ
９  バックアップメモリー          １０  表示部
１１  送信部
【図１】
0004267174.tif 000002
【図２】
0004267174.tif 000003
【図３】
0004267174.tif 000004